(57)【特許請求の範囲】
【請求項１】
底面が略中央下側に向けて傾斜する傾斜面を有したプランター本体と、このプランター本体の上側に一体化され、植物を植栽したかん水鉢を収納保持する保持穴を有したプランター蓋とからなり、このプランター蓋またはプランター本体に一体化した鎖等の吊下材によって全体を吊下げるようにした吊下げかん水プランターであって、
前記プランター本体内の底面に環状の貯水堰を立設して、その内側部分を前記かん水鉢からのかん水ひもが浸される貯水槽としたことを特徴とする吊下げかん水プランター。
【請求項２】
前記プランター本体内の底面であって前記環状の貯水堰外となる部分に、水等を排出するための水抜き穴を形成したことを特徴とする請求項１に記載の吊下げかん水プランター。
【発明の詳細な説明】
【０００１】
【発明の属する技術分野】
本発明は、吊下げて使用し、鉢植え植物に対するかん水を行うプランターに関するものである。
【０００２】
【従来の技術】
博覧会や展覧会、あるいはイベント等の各種会場や、スポーツ施設等の、不特定多数の人が多く集まる場所においては、その歩道や通路の脇にプランターを置き、この中に美しく咲いている花を直接植えたり、鉢植えを収納したりして、会場や施設を豪華でやすらぎのあるものとすることが行われている。そして、博覧会等が終われば、このプランターを片付けて、次の博覧会等において再び使用することが行われている。
【０００３】
勿論、この種のプランター内の植物は生きているのであるから、水や液肥等を定期的に散布しなければならない。従来は、このかん水作業を、１日の始まる前や終わった後に行っていたのであるが、作業に時間的制約があるだけでなく、非常に手間の係る作業となっていたのである。プランターや鉢内の土だけでは、その保水力に限界があるからである。
【０００４】
そこで、出願人は、例えば実公平７−４６１４０号公報の「かん水栽培方法において使用する水位調整タンク」におけるように、かん水の作業をできるだけ省略できるようにすることを種々提案してきているのであるが、これらはあくまでも地上や台上に設置するものを対象としていて、吊下式のものではなかった。そして、上述した各種プランターは、博覧会会場の歩道や通路の脇に置いて使用するものであり、例えば花をよく見ようとすれば、身を屈めなければならなかったものである。
【０００５】
つまり、この種のプランターにおいては、花がよく見えるようにするために、人の目の高さ程度の位置に配置できるようにするという要望が出てきているのである。特に、建物内を鉢植えされた植物によって飾りたい場合には、床上だけでなく、床上の空間にもプランターを設置するようにすることが望まれるようになってきているのである。勿論、植木鉢を吊下枠や支持枠のようなもので高い所に設置することはなされているのであるが、その植物に対するかん水は、植木鉢が高い所にあることから、個人観賞用のものはともかく非常に困難であり、まして大量に設置されている場合には、上述したようにかん水作業だけで大量の人手が必要になる。
【０００６】
それなら、大きな吊下式のプランターに大量の鉢植えを収納して、このプランターに上述した実公平７−４６１４０号公報の「かん水栽培方法において使用する水位調整タンク」を採用すればよいようであるが、もし大きなプランターを人の目の高さ位置に設置すれば、このプランター自体が人の通行に邪魔になり、外部に設置されるようであれば、風の影響を受け易くなって大きく揺れるものとなってしまうことも考えられる。
【０００７】
このため、例えば吊り下げたプランター内に水を十分満たして重くし、少々の風を受けても揺れることがないようにすることが考えられる。プランター内に水を十分満たせば、植物に対するかん水をも十分行える、というメリットも考えられる。しかしながら、重量のあるプランターを吊り下げるようにするには、それなりの工夫が必要となるだけでなく、水が多すぎれば、植物に対してかえって悪影響（根腐れや病気の発生）を及ぼすことがあり得る。また、プランターを屋外に設置したときには、雨水がプランター本体内に入ることがあり、この雨水がプランターの重量を増大させることにもなる。
【０００８】
そこで、本発明者等は、良好な状態で植物に対するかん水が行えて、しかも、人の目の高さ位置に吊下でき安全性も高いプランターとするにはどうしたらよいか、について種々検討を重ねてきた結果、本発明を完成したのである。
【０００９】
【発明が解決しようとする課題】
本発明は、プランターにおける以上のような実状に鑑みてなされたもので、その解決しようとする課題は、植物に対するかん水が行えて吊下するのに適したプランターとすることである。
【００１０】
すなわち、まず請求項１に係る発明の目的とするところは、常に適量の水（かん水）や液肥を溜めておくことができて、風の影響をそれ程受けることがなく、かん水作業を省略でき、しかも吊下しても常に安定状態となってかん水効率を高くすることのできる吊下げかん水プランターを提供することにある。
【００１１】
また、請求項２に係る発明の目的とするところは、上記請求項１と同様な目的を達成することができる他、雨水が内部に浸入したとしても、これを外部に排出して重量の増加を防止することもできる吊下げかん水プランターを提供するこ
とにある。
【００１２】
【課題を解決するための手段】
以上の課題を解決するために、請求項１に係る発明の採った手段は、後述する実施の形態中で使用する符号を付して説明すると、
「底面１１が略中央下側に向けて傾斜する傾斜面１１ａを有したプランター本体１０と、このプランター本体１０の上側に一体化され、植物を植栽したかん水鉢５０を収納保持する保持穴２１を有したプランター蓋２０とからなり、このプランター蓋２０またはプランター本体１０に一体化した鎖等の吊下材４０によって全体を吊下げるようにした吊下げかん水プランター１００であって、
プランター本体１０内の底面１１に環状の貯水堰３０を立設して、その内側部分をかん水鉢５０からのかん水ひも５１が浸される貯水槽としたことを特徴とする吊下げかん水プランター１００」
である。
【００１３】
すなわち、この吊下げかん水プランター１００は、図４または図５に示すように、逆円錐形状あるいは略「お皿」形状に形成したプランター本体１０と、このプランター本体１０の上側に一体化され、植物を植栽したかん水鉢５０を収納保持する保持穴２１を有したプランター蓋２０とからなるものである。プランター本体１０は、略中央下方に向けて傾斜する傾斜面１１ａとなっている底面１１を有しており、この底面１１の略中央部分に、環状の貯水堰３０を設けたものである。換言すれば、この吊下げかん水プランター１００は、上記プランター本体１０とプランター蓋２０とを、図２に示すように一体化して構成したものであり、図１に示すように、プランター蓋２０の各保持穴２１内に植物を植栽したかん水鉢５０を収納して保持できるようにしたものである。
【００１４】
そして、この吊下げかん水プランター１００は、プランター本体１０内に設けてある貯水堰３０内に、供給管３２等から、水や液肥を、図４に示す実施例では図示しない調整部材を通して、また図６に示す実施例ではボールタップ弁３５を通して、量を調整しながら供給できるようにしたものである。つまり、この吊下げかん水プランター１００では、プランター本体１０内の外からは十分見ることのできない貯水堰３０内に、供給管３２等から水や液肥を十分注入した場合、その水量を、貯水堰３０と、例えばボールタップ弁３５とによって一定のものとするのである。従って、当該吊下げかん水プランター１００は、その全体の重量を一定以下の軽いものとすることができるのであるから、吊下げのための構造や場所に制限を受けにくくなっているのである。
【００１５】
なお、本発明に係る吊下げかん水プランター１００においては、図３〜図５にも示すように、そのプランター本体１０内の底面１１に、貯水堰３０と連なる補強リブ３１を立設したものであるから、プランター本体１０自体の剛性が高くなっているだけでなく、その補強構造が外からは見えないものとなっている。つまり、貯水堰３０や補強リブ３１を形成しても、プランター本体１０の外形デザインに全く悪影響はないのである。
【００１６】
さて、この吊下げかん水プランター１００においては、そのプランター本体１０の底部１１に形成してある傾斜面１１ａと、貯水堰３０とによって、図４及び図６に示すように、逆円錐形状の、つまり中央部が最も深くなるような形状の貯水槽が形成される。従って、この貯水堰３０内の水や液肥が少なくなっても、また当該吊下げかん水プランター１００が風等の力によって多少揺れたとしても、水や液肥の残部が常に貯水堰３０内のもっとも深い部分に貯っていることになってバランスのよいものとなっている。それだけでなく、図４に示すように、各鉢５０のかん水ひも５１の先端を貯水堰３０内に配置するようにしておけば、かん水鉢５０内の植物に対するかん水は、水や液肥が残っている限り常に十分になされることになるのである。
【００１７】
さらに、この吊下げかん水プランター１００のプランター本体１０の底部１１は、図１、図２あるいは図６に示したように、略中央下端に向けて逆円錐形状になっているのであるから、水や液肥のための貯水槽を形成しながら、しかも人の通行に邪魔にならないものとなっているのである。それだけでなく、このプランター本体１０は、上記形状のものとなっているから、風の影響をそれほど受けることがないものともなっており、風によって当該吊下げかん水プランター１００が大きく揺れることはないのである。
【００１８】
勿論、この吊下げかん水プランター１００は、そのプランター蓋２０をプランター本体１０の上側に取付金具４１等によって一体化するものであり、この取付金具４１に連結した鎖やひも等の吊下材４０によって、図１に示すように、その全体が吊り下げられることになるのである。この状態では、貯水堰３０内には水や液肥が十分貯溜してあるから、この水や液肥が各かん水鉢５０のかん水ひも５１の吸水作用によって吸い上げられ、各かん水鉢５０内の植物に対する供給が自動的になされるのである。従って、この吊下げかん水プランター１００では、かん水作業を大きく省略することができて、植物の成育をも十分可能にするのである。
【００１９】
なお、実施形態の吊下げかん水プランター１００では、図４に示すように、プランター蓋２０を、略中央上側に向けて傾斜する傾斜面２０ａを有したものとしてある。これによって、プランター蓋２０に形成してある保持穴２１も、図１及び図４に示すように積極的に傾斜させたものである。従って、各保持穴２１内に収納したかん水鉢５０に植栽した植物あるいはその花は、当該吊下げかん水プランター１００の外方に向かうことになり、当該吊下げかん水プランター１００付近を通過する人の目に十分に触れるものとなって、各かん水鉢５０に植栽した植物の観賞をより一層十分行えるのである。
【００２０】
また、この吊下げかん水プランター１００は、プランター本体１０の底部１１が傾斜面１１ａを有し、プランター蓋２０自体も傾斜面２０ａを有したものとしたのであるから、これらのプランター本体１０とプランター蓋２０とを分離したとき、一方を反対にして両者を重ねることができるのである。このようにすれば、不使用時の吊下げかん水プランター１００の保管をそれほどの空間を必要としないで行うことができ、その梱包や運搬を効率よく行うこともできるのである。
【００２１】
さて、上記の課題を解決するために、請求項２に係る発明の採った手段は、上記請求項１に係る吊下げかん水プランター１００について、
「プランター本体１０内の底面１１であって、環状の貯水堰３０外となる部分に、水等を排出するための水抜き穴３３を形成したこと」
である。
【００２２】
すなわち、この請求項２に係る吊下げかん水プランター１００は、貯水堰３０からあふれ出た水、あるいはプランター蓋２０の保持穴２１から内部に浸入した雨水を、プランター本体１０の貯水堰３０の外側に形成した水抜き穴３１から排出するようにしたものである。つまり、この請求項２に係る吊下げかん水プランター１００は、その貯水堰３０によって、水や液肥を溜めておく貯水槽部分の容積をプランター本体１０の容積より小さくし、かつ余剰な水等を水抜き穴３３から排出するようにして、この吊下げかん水プランター１００の最大重量を、確実に制限できるようにしたものである。
【００２３】
勿論、この吊下げかん水プランター１００では、プランター本体１０内の外からは十分見ることのできない貯水堰３０内に、供給管３２等から水や液肥を、仮に必要以上注入された場合には、余剰分が水抜き穴３３から排出されることになるため、これを外から簡単に確認できるものでもある。
【００２４】
【発明の実施の形態】
次に、上記のように構成した各請求項に係る発明を、図面に示した実施の形態に従って説明すると、次の通りである。これらの実施形態は、図１〜図５に示した第１実施例と、図５及び図６に示した第２実施例とがあって、これらの実施例は、上記各発明を実質的に含むものであり、以下では各実施例毎に分けて説明することとする。
【００２５】
（第１実施例）
図１には、本発明に係る吊下げかん水プランター１００を吊下した状態が示してあり、そのプランター蓋２０の各保持穴２１にかん水鉢５０を収納した、あるいは収納する状態も示してある。この吊下げかん水プランター１００は、図２〜図４にも示したように、例えば合成樹脂を材料として一体成形したプランター本体１０とプランター蓋２０とを有するものであり、これらの各フランジ１３・２２を複数（本第１実施例においては、図３にも示すように４個）の取付金具４１によって連結したものである。勿論、各取付金具４１には、図１にも示したように、鎖等の吊下材４０が連結されるのであり、吊下げかん水プランター１００全体を吊下できるようにしてある。
【００２６】
プランター本体１０は、図２及び図４に示したように、その底面１１が略中央下側に向けて傾斜する傾斜面１１ａを有しているものであり、その一部には、水や液肥などの量を制限する貯水堰３０が設けてある。プランター本体１０の傾斜面１１ａの傾斜角度は、上述した機能が果たせればどのような程度であってもよいが、本実施例においては、鉛直線に対して３０°〜５０°程度傾斜するようにしている。
【００２７】
また、このプランター本体１０の上縁には水平方向に延在することになるフランジ１３が形成してあり、このフランジ１３上に、プランター蓋２０側のフランジ２２が載置されることになるものである。そして、これらのフランジ１３・２２を複数の取付金具４１によって連結することにより、次のプランター蓋２０をプランター本体１０に一体化するものである。
【００２８】
なお、この第１実施例のプランター本体１０では、図２に示したように、その最下端に排出口１２を設けておくとよい。このように、排出口１２を設けておけば、この排出口１２によってプランター本体１０内部の清掃や、残留していた水や液肥、あるいはゴミの取り出しを容易に行えるのである。何故なら、プランター本体１０は、底面１１が略中央下側に向けて傾斜する傾斜面１１ａを有していて、この傾斜面１１ａによって水や液肥、あるいはゴミが貯水堰３０内の中央に常に集められるのであるから、この中央部に一つの排出口１２を設けておくことによって、その清掃や排出を当該排出口１２を通して簡単に行えるのである。
【００２９】
プランター蓋２０は、文字通りプランター本体１０の蓋であるから、これを平らなものとして実施してもよいが、本実施形態のものでは、図１及び図４に示したように、略中央上側に向けて傾斜する傾斜面２０ａを有したものとしてある。このようにした理由は、図１から明確に理解できるように、当該プランター蓋２０に形成した保持穴２１内に各かん水鉢５０を収納・固定したとき、これらのかん水鉢５０内の植物あるいはその花がよく見えるようになって、より好ましいものとなるからである。
【００３０】
すなわち、このプランター蓋２０については、かん水鉢５０を収納して支持するための保持穴２１が複数形成してあり、本実施形態においては、合計５個の保持穴２１を有したものとしてある。また、本実施形態においては、中央の保持穴２１がかん水鉢５０を水平状に支持できるようにしてある。
【００３１】
貯水堰３０は、プランター本体１０の底面１１に対して、環状に立設したものであり、図４に示したように、その内側部分をかん水鉢５０からのかん水ひも５１が浸される貯水槽とするものである。この貯水堰３０の外側に位置するプランター本体１０の底面１１には、図４に示したように、浸入してきた水を排出するための水抜き穴３３が形成してある。
【００３２】
なお、このプランター本体１０内の底面１１には、図３に示したように、貯水堰３０と連なる複数の補強リブ３１が立設してあり、これらの補強リブ３１により、貯水堰３０自体は勿論、プランター本体１０の補強を行っているのである。このような補強リブ３１は、環状の貯水堰３０に対して放射状に形成するのが、もっとも補強効率が良いものである。
【００３３】
また、この貯水堰３０内には、例えば図１あるいは図４に示した供給管３２から水や液肥が供給されるものであり、この供給管３２には、その水等の供給量を調整する図示しない装置を介して、図示しない水供給源に接続してある。このことによっても、この貯水堰３０は、供給管３２を通して供給されてきた水や液肥の量を常に一定に保つようにしているのである。
【００３４】
プランター蓋２０の各保持穴２１内に収納されるべきかん水鉢５０は、図４にも示したように、一端がかん水鉢５０内の土中に配置されて他端が貯水堰３０の水や液肥内に浸漬されるかん水ひも５１を有したもので、このかん水ひも５１の吸水作用によってかん水鉢５０内の植物に対するかん水を行えるようにしたものである。
【００３５】
なお、上記の実施形態の吊下げかん水プランター１００は、平面的に見た場合に円形となるものであるが、この円形形状に限るものではないことはいうまでもなく、上述した構成さえ備えることができるのであれば、平面形状が四角形や三角形であっても、その他の形状であってもよいものである。
【００３６】
（第２実施例）
図５及び図６には、本発明に係る吊下げかん水プランター１００の第２実施例が示してあり、これらの図５及び図６では、上記第１実施例の吊下げかん水プランター１００と共通している部材については、上記第１実施例の場合と同じ符号を付して、その説明は省略する。
【００３７】
この第２実施例の吊下げかん水プランター１００では、貯水堰３０内に、供給管３２の先端が接続されるボールタップ弁３５が設置してあり、このボールタップ弁３５によって貯水堰３０の水量を自動的に調整するようにしてある。なお、図５及び図６中の符号３４は、このボールタップ弁を取り付けるための支持部である。勿論、このプランター本体１０の底面１１には、その貯水堰３０の外側に位置する部分に、貯水堰３０からあふれ出た水、あるいは浸入してきた雨水を排出するための水抜き穴３３が形成してある。
【００３８】
【発明の効果】
以上、詳述した通り、請求項１に係る発明においては、上記実施形態にて例示した如く、プランター本体１０と、その上側に一体化され、植物を植栽したかん水鉢５０を収納保持する保持穴２１を有したプランター蓋２０とからなる吊下げかん水プランター１００について、プランター本体１０内の底面１１に環状の貯水堰３０を立設したことにその構成上の特徴があり、これにより、常に適量の水（かん水）や液肥を溜めておくことができて、風の影響をそれほど受けることがなく、かん水作業を省略でき、しかも吊下しても常に安定状態となってかん水効率を高くすることのできる吊下げかん水プランター１００を提供することができるのである。
【００３９】
また、請求項２に係る吊下げかん水プランター１００では、上記請求項１のそれについて、プランター本体１０内の底面１１に、環状の貯水堰３０外に水を排出するための水抜き穴３３を形成したことにその構成上の特徴があり、これにより、上記請求項１と同様な目的を達成することができる他、雨水が内部に浸入したとしても、これを外部に排出して重量の増加を防止することもできる吊下げかん水プランター１００を提供することができるのである。
【図面の簡単な説明】
【図１】本発明の第１実施例に係る吊下げかん水プランターにかん水鉢を収納した状態を示す斜視図である。
【図２】同吊下げかん水プランターの正面図である。
【図３】同平面図である。
【図４】図１に示した吊下げかん水プランターの縦断面図である。
【図５】本発明の第２実施例に係る吊下げかん水プランターを構成しているプランター本体の斜視図である。
【図６】同プランター本体の貯水堰内に水等を入れたときの縦断面図である。
【符号の説明】
１００  吊下げかん水プランター
１０  プランター本体
１１  底面
１１ａ  傾斜面
１２  排出口
１３  フランジ
２０  プランター蓋
２０ａ  傾斜面
２１  保持穴
２２  フランジ
３０  貯水堰
３１  補強リブ
３２  供給管
３３  水抜き穴
３５  ボールタップ弁
４０  吊下材
４１  取付金具
５０  かん水鉢
５１  かん水ひも
【図１】
0003932435.tif 000002
【図２】
0003932435.tif 000003
【図３】
0003932435.tif 000004
【図４】
0003932435.tif 000005
【図５】
0003932435.tif 000006
【図６】
0003932435.tif 000007